(57)【特許請求の範囲】
【請求項１】
電力を供給する電力供給システムであって、
第１区画と第２区画とに電力を供給可能に設けられた第１電力系統と、
前記第１区画と前記第２区画とに電力を供給可能に設けられた第２電力系統と、
第１区画に設けられた非常時用の発電機と、
前記第１区画に設けられ、前記第１電力系統から供給される電力と、前記第２電力系統から供給される電力と、前記発電機で発電された電力と、を切り替え可能に接続された複数のスイッチを含む第１切替部と、
第２区画に設けられ、前記第１電力系統から供給される電力と、前記第２電力系統から供給される電力と、を切り替える第２切替部と、
変電所から前記第２電力系統への電力供給を開放可能に設けられた遮断器と、
を備え、
前記第１切替部は、前記第１電力系統から前記第２区画に対して供給される電力と、前記第２電力系統から前記第２区画に対して供給される電力と、がいずれも停止した場合、前記遮断器が開放していることを条件として、前記発電機で発電された電力が前記第２電力系統へ供給されるように切り替わり、
前記第２切替部は、前記第１電力系統から前記第２区画に対して供給される電力と、前記第２電力系統から前記第２区画に対して供給される電力と、がいずれも停止した場合、前記第２電力系統から供給される電力が前記第２区画に供給されるように切り替わる
ことを特徴とする電力供給システム。
【請求項２】
前記第２電力系統の電圧を検出する無電圧検出装置
を備え、
前記遮断器は、前記無電圧検出装置が所定時間、無電圧を検出したことを条件として開放する
ことを特徴とする請求項１に記載の電力供給システム。
【請求項３】
前記第１切替部は、前記第２電力系統から前記第２区画に対して供給される電力がいずれも停止した場合、前記第２電力系統の電力事故情報が検出されないことを条件として切り替わる
ことを特徴とする請求項２に記載の電力供給システム。
【請求項４】
前記第２切替部は、前記第１電力系統及び前記第２電力系統から前記第２区画に対して供給される電力の停止を検出した場合に、その旨を示す制御信号を前記発電機に送信し、
前記発電機は、前記第２切替部から送信された前記制御信号を受信したことに基づき発電を開始する
ことを特徴とする請求項１から３のいずれか一項に記載の電力供給システム。
【請求項５】
前記第１電力系統から前記第１区画に対して供給される電力の停止を検出した場合、且つ、前記第２電力系統が使用可能である場合、前記第１切替部は、前記発電機で発電された電力と、前記第２電力系統から供給される電力と、が前記第１区画に供給されるように切り替わる
ことを特徴とする請求項１から４のいずれか一項に記載の電力供給システム。
【請求項６】
前記第１区画に設けられ、該第１区画における電力の伝送経路の切り替えを制御する第１制御部と、
前記第２区画に設けられ、該第２区画における電力の伝送経路の切り替えを制御する第２制御部と、
前記第１制御部と前記第２制御部とに通信接続され、電力供給システムにおける電力の伝送経路の切り替えを制御する監視制御装置と、
を備えることを特徴とする請求項１から５のいずれか一項に記載の電力供給システム。
【請求項７】
前記第２電力系統に電力を供給する前記変電所は、前記第１電力系統に電力を供給する変電所とは異なる変電所である
ことを特徴とする請求項１から６のいずれか一項に記載の電力供給システム。
【請求項８】
電力を供給する電力供給方法であって、
第１区画と第２区画とに電力を供給可能に設けられた第１電力系統と、
前記第１区画と前記第２区画とに電力を供給可能に設けられた第２電力系統と、
第１区画に設けられた非常時用の発電機と、
前記第１区画に設けられ、前記第１電力系統から供給される電力と、前記第２電力系統から供給される電力と、前記発電機で発電された電力と、を切り替え可能に接続された複数のスイッチを含む第１切替部と、
第２区画に設けられ、前記第１電力系統から供給される電力と、前記第２電力系統から供給される電力と、を切り替える第２切替部と、
変電所から前記第２電力系統への電力供給を開放可能に設けられた遮断器と、
を備える電力系統システムにおいて、
前記第１切替部が、前記第１電力系統から前記第２区画に対して供給される電力と、前記第２電力系統から前記第２区画に対して供給される電力と、がいずれも停止した場合、前記遮断器が開放していることを条件として、前記発電機で発電された電力が前記第２電力系統へ供給されるように切り替わり、
前記第２切替部が、前記第１電力系統から前記第２区画に対して供給される電力と、前記第２電力系統から前記第２区画に対して供給される電力と、がいずれも停止した場合、前記第２電力系統から供給される電力が前記第２区画に供給されるように切り替わる
ことを特徴とする電力供給方法。
【発明の詳細な説明】
【技術分野】
【０００１】
本発明は、複数の区画に対して電力を供給する電力供給システム及び電力供給方法に関する。
【背景技術】
【０００２】
電力系統は、発電所で発電された電力が一次送電線に供給され、一次送電線で送電された電力が送電用変電所で降圧されて二次送電線に供給され、さらに配電用変電所で降圧されて配電線に供給される。そして、配電線に供給された電力が配電線を介してビルなどの需要者（需要家）に配電される。このような電力系統を介して電力を供給するシステムを電力供給システムという。電力系統において停電などが発生することにより、電力が需要者に供給されない事態が生じ得る。このような事態が生じた場合においても需要者に電力を供給するために、非常時用の電力供給手段を設けることが知られている。
【０００３】
例えば、下記特許文献１には、常用電源設備の異常や事故などにより供給電力量の不足が発生した場合に、非常用電源設備で供給電力量を補う技術が開示されている。また、下記特許文献２には、電力会社の電力系統と異なる別の系統を設け、複数の系統で電力供給を可能にした技術が開示されている。
【先行技術文献】
【特許文献】
【０００４】
【特許文献１】特開２００４−２８２８９８号公報
【特許文献２】特開２００２−５１４６５号公報
【発明の概要】
【発明が解決しようとする課題】
【０００５】
上記特許文献１，２に記載されたシステムは、複数の系統で電力供給が可能な構成である。しかしながら、停電などの非常時に複数の需要者間で電力を融通し合うことができず、依然として改善の余地があった。
【０００６】
本発明は、前述した事情に鑑みてなされたものであり、非常時に複数の需要者間で電力を融通し合うことができる電力供給システム及び電力供給方法を提供することを目的とする。
【課題を解決するための手段】
【０００７】
上記目的を達成するために、本発明の第１の態様は、電力を供給する電力供給システムであって、第１区画と第２区画とに電力を供給可能に設けられた第１電力系統と、第１区画と第２区画とに電力を供給可能に設けられた第２電力系統と、第１区画に設けられた非常時用の発電機と、第１区画に設けられ、第１電力系統から供給される電力と、第２電力系統から供給される電力と、発電機で発電された電力と、を切り替え可能に接続された複数のスイッチを含む第１切替部と、第２区画に設けられ、第１電力系統から供給される電力と、第２電力系統から供給される電力と、を切り替える第２切替部と、変電所から第２電力系統への電力供給を開放可能に設けられた遮断器と、を備え、第１切替部は、第１電力系統から第２区画に対して供給される電力と、第２電力系統から第２区画に対して供給される電力と、がいずれも停止した場合、遮断器が開放していることを条件として、発電機で発電された電力が第２電力系統へ供給されるように切り替わり、第２切替部は、第１電力系統から第２区画に対して供給される電力と、第２電力系統から第２区画に対して供給される電力と、がいずれも停止した場合、第２電力系統から供給される電力が第２区画に供給されるように切り替わる。
【０００８】
また、第２電力系統の無電圧を検出する無電圧検出装置を備え、遮断器は、無電圧検出装置が所定時間、無電圧を検出したことを条件として開放する構成でもよい。
【０００９】
また、第１切替部は、第２電力系統から第２区画に対して供給される電力がいずれも停止した場合、第２電力系統の電力事故情報が検出されないことを条件として切り替わる構成でもよい。
【００１０】
また、第２切替部は、第１電力系統及び第２電力系統から第２区画に対して供給される電力の停止を検出した場合に、その旨を示す制御信号を発電機に送信し、発電機は、第２切替部から送信された制御信号を受信したことに基づき発電を開始する構成でもよい。
【００１１】
また、第１電力系統から前記第１区画に対して供給される電力の停止を検出した場合、且つ、第２電力系統が使用可能である場合、第１切替部は、発電機で発電された電力と、第２電力系統から供給される電力と、が第１区画から供給されるように切り替わる構成でもよい。
【００１２】
また、第１区画に設けられ、第１区画における電力の伝送経路の切り替えを制御する第１制御部と、第２区画に設けられ、第２区画における電力の伝送経路の切り替えを制御する第２制御部と、第１制御部と第２制御部とに通信接続され、電力供給システムにおける電力の伝送経路の切り替えを制御する監視制御装置と、を備える構成でもよい。また、第２電力系統に電力を供給する変電所は、第１電力系統に電力を供給する変電所とは異なる変電所である構成でもよい。
【００１３】
また、本発明の第２の態様は、電力を供給する電力供給方法であって、第１区画と第２区画とに電力を供給可能に設けられた第１電力系統と、第１区画と第２区画とに電力を供給可能に設けられた第２電力系統と、第１区画に設けられた非常時用の発電機と、第１区画に設けられ、第１電力系統から供給される電力と、第２電力系統から供給される電力と、発電機で発電された電力と、を切り替え可能に接続された複数のスイッチを含む第１切替部と、第２区画に設けられ、第１電力系統から供給される電力と、第２電力系統から供給される電力と、を切り替える第２切替部と、変電所から第２電力系統への電力供給を開放可能に設けられた遮断器と、を備える電力系統システムにおいて、第１切替部が、第１電力系統から第２区画に対して供給される電力と、第２電力系統から第２区画に対して供給される電力と、がいずれも停止した場合、遮断器が開放していることを条件として、発電機で発電された電力が第２電力系統へ供給されるように切り替わり、第２切替部が、第１電力系統から第２区画に対して供給される電力と、第２電力系統から第２区画に対して供給される電力と、がいずれも停止した場合、第２電力系統から供給される電力が第２区画に供給されるように切り替わる。
【発明の効果】
【００１４】
本発明によれば、第１電力系統及び第２電力系統において停電等の非常事態が発生した場合に、第１区画における非常時用の発電機で発電された電力を既存の第２電力系統を介して第２区画に供給することができる。その結果、非常時に複数の需要者（第１区画、第２区画）間で電力を融通し合うことができ、継続的かつ安定的に電力の供給を行うことができる。
【図面の簡単な説明】
【００１５】
【図１】本発明の第１実施形態に係る電力供給システムの構成を示す図である。
【図２】遮断器及び発電機の動作タイミングを示すタイミングチャートである。
【図３】本発明の第１実施形態の停電時の手順を示す図である。
【図４】本発明の第１実施形態の復電時の手順を示す図である。
【図５】本発明の第２実施形態の停電時の手順を示す図である。
【図６】図５に続いて、第２実施形態の停電時の手順を示す図である。
【図７】本発明の第２実施形態の復電時の手順を示す図である。
【図８】図７に続いて、第２実施形態の復電時の手順を示す図である。
【図９】本発明の第３実施形態に係る電力供給システムの構成を示すブロック図である。
【発明を実施するための形態】
【００１６】
以下、本発明の実施形態について図面を参照して説明する。ただし、本発明はこれに限定されるものではない。また、図面においては実施形態を説明するため、一部分を大きく又は強調して記載するなど適宜縮尺を変更して表現する場合がある。
【００１７】
＜第１実施形態＞
図１は、本発明の第１実施形態に係る電力供給システムの構成を示す図である。図１に示す第１実施形態に係る電力供給システムは、複数の区画に対して電力を供給するシステムである。図１に示すように、電力供給システムは、第１区画としての第１ビル４０内の領域に設けられた設備（受電設備４１、ガスタービン発電機４２、遮断器ＣＢ２〜ＣＢ６）と、第１ビル４０内の領域に設けられた制御システム８０と、第２区画としての第２ビル（第２ビルα（５０）、第２ビルβ（６０）、第２ビルγ（７０））内の領域に設けられた設備（受電設備５１，６１，７１）と、変電所Ｅから予備電力線３０への電力供給を遮断可能な遮断器ＣＢ１と、変電所Ｅから供給される電圧が無電圧であることを検出する無電圧検出装置３５とを備えている。
【００１８】
なお、図１に示す例では、第１区画は１つの第１ビル４０内の領域としているが、複数のビルなどの領域を第１区画としてもよい。また、第２区画は複数の第２ビル（第２ビルα（５０）、第２ビルβ（６０）、第２ビルγ（７０））内の領域としているが、１つの第２ビル内の領域であってもよい。すなわち、第１区画と第２区画の関係は、１つのビルと１つのビルの関係（１対１の関係）でもよく、１つのビルと複数のビルの関係（１対多の関係）でもよく、複数のビルと１つのビルの関係（多対１の関係）でもよく、複数のビルと複数のビルの関係（多対多の関係）でもよい。
【００１９】
変電所Ａ，Ｂ，Ｃ，Ｄは、配電線１０及び配電線２１，２２，２３に電力を供給する配電用変電所である。なお、変電所Ａ，Ｂ，Ｃ，Ｄのいずれの変電所が配電線１０及び配電線２１〜２３のいずれの配電線に電力を供給するかは、変電所の出力、配電線の供給電圧などに応じて適宜決定される。変電所Ｅは、予備電力線３０に電力を供給する配電用変電所である。
【００２０】
配電線１０は、第１ビル４０に電力を配電するための配電線である。この配電線１０は、例えば供給電圧が６．６ｋＶであるものとする。なお、配電線１０を構成する配電線の数は１つ（１回線）に限らず、複数（複数回線）であってもよい。配電線２１は、第２ビルα（５０）に電力を配電するための配電線である。配電線２２は、第２ビルβ（６０）に電力を配電するための配電線である。配電線２３は、第２ビルγ（７０）に電力を配電するための配電線である。配電線２１〜２３は、例えば地中に敷設されている。配電線２１〜２３の供給電圧も例えば６．６ｋＶであるものとする。本実施形態において、変電所Ａ，Ｂ，Ｃ，Ｄ、配電線１０及び配電線２１，２２，２３を第１電力系統という。なお、配電線１０と配電線２１〜２３の供給電圧は、特に限定されない。例えば、配電線１０の供給電圧は、２２ｋＶであってもよいし、配電線２１〜２３の供給電圧は６ｋＶであってもよい。
【００２１】
予備電力線３０は、変電所Ｂ，Ｃ，Ｄから配電線２１，２２，２３に供給される電力が停電などで停止した場合に、配電線２１，２２，２３に代わって、変電所Ｅから第２ビル５０，６０，７０に電力（予備電力）を供給するための配電線である。本実施形態では、予備電力線３０は第１ビル４０にも接続され、変電所Ｅから第１ビル４０に電力（予備電力）が供給可能に構成されている。なお、本実施形態では、予備電力線３０は第１ビル４０、第２ビルα（５０）、第２ビルβ（６０）及び第２ビルγ（７０）以外のビル（負荷）に接続されておらず、変電所Ｅから供給される電力を配電する専用の配電線である。本実施形態において、変電所Ｅ及び予備電力線３０を第２電力系統という。
【００２２】
なお、変電所Ａ〜Ｅは、いずれも一般の電力系統における変電所である。しかし、変電所Ｅは、非常時における第２ビル５０，６０，７０のバックアップ用の第２電力系統に接続されるので、変電所Ａ〜Ｄのグループとは別個に設けられている。
【００２３】
遮断器ＣＢ１は、変電所Ｅから予備電力線３０に電力を供給するためのフィーダ（配電線）上に設けられ、開放（遮断）及び投入の動作を行うことで変電所Ｅと予備電力線３０との切り離し及び接続を行う。無電圧検出装置３５は、変電所Ｅと予備電力線３０との間のフィーダの電圧を監視し、その電圧が無電圧であることを検出する計器用変成器である。
【００２４】
第１ビル４０内には、受電設備４１、ガスタービン発電機４２、遮断器ＣＢ２〜ＣＢ６、無電圧検出装置４３ｔ及び制御システム８０が設けられている。受電設備４１は、配電線１０から分岐した配電線から受電する。受電設備４１は、図示しない受電用切替機器や変圧器、無電圧検出装置４３ｓ、制御部などを備えている。ガスタービン発電機（発電機）４２は、配電線１０からの電力供給が停止した場合に、第１ビル４０内の負荷に対して電力を供給するための発電機である。なお、ガスタービン発電機４２を「ＧＴ」と略して記すことがある。
【００２５】
また、制御システム８０は、第１ビル４０内に設けられ、通信線を通じて第１ビル４０及び第２ビル５０，６０，７０内の設備（受電設備、遮断器、無電圧検出装置）と接続され当該設備の動作情報を受信し、後述する条件に従い遮断器、断路器の開閉などを行う制御信号を発信する。なお、制御システム８０は、第１ビル４０外に設けられてもよく、また、図示しない通信ネットワークで第１ビル４０及び第２ビル５０，６０，７０内の設備と接続されてもよい。
【００２６】
遮断器の二次側母線４１ａに接続された配線と第１ビル４０内の負荷への電力供給用の配線とが接点Ｐ１で接続される。二次側母線４１ａに接続された配線には、遮断器ＣＢ２が設けられている。ガスタービン発電機４２に接続された配線と第１ビル４０内の負荷への電力供給用の配線とが接点Ｐ２で接続される。接点Ｐ１と接点Ｐ２との間に遮断器ＣＢ３が設けられている。
【００２７】
ガスタービン発電機４２に接続された配線には、遮断器ＣＢ４が設けられている。第１ビル４０内の負荷への電力供給用の配線と予備電力線３０から分岐された配電線とが接点Ｐ３で接続される。また、接点Ｐ３には、負荷への電力用の配線（予備電力線負荷フィーダ）が接続される。接点Ｐ２と接点Ｐ３との間に遮断器ＣＢ５が設けられている。予備電力線３０から分岐された配電線には、遮断器ＣＢ６が設けられている。
【００２８】
無電圧検出装置４３ｓは、受電設備４１の受電点に設置され、その受電点の電圧を監視し、その電圧が無電圧であることを検出する計器用変成器である。また、無電圧検出装置４３ｔは、予備電力線３０の受電点に設置され、その受電点の電圧を監視し、その電圧が無電圧であることを検出する計器用変成器である。本実施形態において、第１ビル４０内に設けられた受電設備４１、制御システム８０及び遮断器ＣＢ２〜ＣＢ６を、電力の伝送経路を切り替える第１切替部という。
【００２９】
第２ビルα（５０）内には、受電設備５１が設けられている。受電設備５１は、配電線２１から分岐した配電線から受電する。また、受電設備５１は、予備電力線３０から分岐した配電線からも受電する。受電設備５１は、受電用切替機器５１ａや変圧器、計器用変成器、制御部などを備えている。本明細書において、「受電用切替機器」とは、遮断器，断路器等の機器を含む機器を意味する。計器用変成器は電流電圧を計測する装置でありこれを用いて無電圧を検出する。受電設備５１が受電した電力は第２ビルα（５０）内の負荷に送られる。
【００３０】
第２ビルβ（６０）内には、受電設備６１が設けられている。受電設備６１は、配電線２２から分岐した配電線から受電する。また、受電設備６１は、予備電力線３０から分岐した配電線からも受電する。受電設備６１は、受電用切替機器６１ａや変圧器、計器用変成器、制御部などを備えている。受電設備６１が受電した電力は第２ビルβ（６０）内の負荷に送られる。
【００３１】
第２ビルγ（７０）内には、受電設備７１が設けられている。受電設備７１は、配電線２３から分岐した配電線から受電する。また、受電設備７１は、予備電力線３０から分岐した配電線からも受電する。受電設備７１は、受電用切替機器７１ａや変圧器、計器用変成器、制御部などを備えている。受電設備７１が受電した電力は第２ビルγ（７０）内の負荷に送られる。受電設備５１〜７１（受電用切替機器５１ａ〜７１ａ）を、それぞれ、電力の伝送経路を切り替える第２切替部という。
【００３２】
なお、本実施形態では、第１ビル４０、第２ビルα（５０）、第２ビルβ（６０）、及び第２ビルγ（７０）は、隣接しているものとする。ただし、これらのビルが隣接していなくてもよい。
【００３３】
なお、図１における予備電力線３０の遮断器ＣＢ１や、第１切替部の各遮断器ＣＢ２〜ＣＢ６、及び第２切替部の各受電用切替機器５１ａ，６１ａ，７１ａの開放・投入の状態は、電力供給システムが正常に電力を供給しているときの状態である。すなわち、変電所Ａ〜Ｄから配電線１０及び配電線２１〜２３に対して正常に電力が供給され、変電所Ｅから予備電力線３０に正常に電力が供給されている。このとき、遮断器ＣＢ１は投入状態で、遮断器ＣＢ２も投入状態で、遮断器ＣＢ３〜ＣＢ６は開放状態である。また、ガスタービン発電機４２も停止している。また、受電用切替機器５１ａは配電線２１側に切り替えられており、受電用遮断器６１ａは配電線２２側に切り替えられており、受電用遮断器７１ａは配電線２３側に切り替えられている。
【００３４】
次に、第１実施形態の電力供給システムの動作について説明する。まず、第１実施形態の電力供給システムの停電時の動作について説明する。図２は、遮断器及び発電機の動作タイミングを示すタイミングチャートである。また、図３は、本発明の第１実施形態の停電時の手順を示す図である。図２及び図３に示すように、第１ビル４０の停電（配電線１０の電力供給の停止）が発生すると（ステップＳ１１）、受電設備４１の受電点に設置された無電圧検出装置４３ｓが配電線１０の受電点の無電圧を検出する（ステップＳ１２）。無電圧検出装置４３ｓが配電線１０の受電点の無電圧を検出すると、制御システム８０が制御信号を出力して遮断器ＣＢ２を開放する（ステップＳ１３）。制御システム８０は遮断器ＣＢ２の開放に続き、遮断器ＣＢ３を投入する（ステップＳ１４）。
【００３５】
また、無電圧検出装置４３ｓが無電圧を検出したことに基づき、制御システム８０がガスタービン発電機４２を起動し（ステップＳ１５）、続いて、遮断器ＣＢ４を投入する（ステップＳ１６）。遮断器ＣＢ３及び遮断器ＣＢ４を投入することにより（ステップＳ１４、Ｓ１６）、ガスタービン発電機４２で発電された電力が第１ビル４０内の負荷に電力を供給するためのフィーダに順次投入される（ステップＳ１７）。
【００３６】
なお、図３のＤ５に示すように、ガスタービン発電機４２からの電力が第１ビル４０内の負荷に供給される条件は、遮断器ＣＢ２が開放されるとともに遮断器ＣＢ３が投入されることと、ガスタービン発電機４２が起動されるとともに遮断器ＣＢ４が投入されることのＡＮＤ条件である。
【００３７】
また、制御システム８０は、第２ビル（第２ビルα（５０）、第２ビルβ（６０）、第２ビルγ（７０））の受電設備５１，６１，７１からの動作情報に基づき、第２ビルの停電（配電線２１，２２，２３の少なくともいずれかの電力供給の停止）の発生を検出し（ステップＳ１８；図３のＤ２）、かつ、第２ビル（第２ビルα（５０）、第２ビルβ（６０）、第２ビルγ（７０））のすべての予備電力線３０の停電の発生を検出すると（ステップＳ１９；図３のＤ３）、第１ビル４０のガスタービン発電機４２で発電された電力の第２ビルへの融通を判定する（ステップＳ２０）。
【００３８】
なお、図３のステップＳ１８における「本線」とは配電線２１，２２，２３のことであり、本線１，２，３はそれぞれ配電線２１，２２，２３に対応する。また、図３のステップＳ１９における予備電力線１，２，３は、受電設備５１，６１，７１にそれぞれ接続される予備電力線３０から分岐した配電線に対応する。図３のＤ４に示すように、第２ビルが第１ビル４０のガスタービン発電機４２で発電された電力の融通を判定する条件は、第２ビルの本線（配電線２１，２２，２３）の少なくとも１つが停電したことと、予備電力線３０から分岐して各第２ビル５０，６０，７０に接続される配電線のすべてが停電したこととのＡＮＤ条件である。
【００３９】
制御システム８０は、遮断器ＣＢ３，ＣＢ６が開放されているか否か判定する（ステップＳ２１）。
【００４０】
図３のＤ１に示すように、第１実施形態においては、（１）第１ビル４０の配電線１０が停電したことと、（２）第２ビルの配電線２１，２２，２３の少なくともいずれか１つが停電しかつ予備電力線３０から分岐して各第２ビルに接続される配電線のすべてが停電したこととのいずれかの条件が成立した場合に、ガスタービン発電機４２が起動される。すなわち、ガスタービン発電機４２の起動条件は、上記（１）と（２）のＯＲ条件である。
【００４１】
予備電力線３０から分岐して各第２ビルに接続される配電線のすべてが停電している場合、予備電力線３０からの受電点に設置された無電圧検出装置４３ｔが予備電力線３０から分岐して第１ビル４０に接続される配電線が無電圧か否かを検出する（ステップＳ２２）。予備電力線３０から分岐して第１ビル４０に接続される配電線が停電している場合、変電所Ｅから予備電力線３０への電力供給が停止（停電）していることを示す。一方、予備電力線３０から分岐して第１ビル４０に接続される配電線が停電していない場合、予備電力線３０から分岐して第２ビルに接続される配電線などにおいて停電が発生していることを示す。
【００４２】
また、予備電力線３０から分岐して各第２ビルに接続される配電線のすべてが停電している場合、制御システム８０は、遮断器ＣＢ１が開放しているか否かを図示しない制御所からのＣＢ動作情報などに基づき検出する（ステップＳ２３）。無電圧検出装置３５が無電圧を所定時間（例えば８分）検出した場合に、スイッチをオン状態とする（ステップＳ２４）。ここで、管理者が無電圧の判断を行い確認ボタンを押下する等のステップを追加してもよい。
【００４３】
図３のＤ６に示すように、ステップＳ２０のガスタービン発電機４２の融通が判定されたこと、ステップＳ２２の予備電力線３０から分岐して第１ビル４０に接続される配電線が停電していること、ステップＳ２４で遮断器ＣＢ１が開放されていること、及びステップＳ１６の遮断器ＣＢ４が投入されていること、のすべてが成立している場合、制御システム８０は遮断器ＣＢ５を投入し（ステップＳ２５）、続いて遮断器ＣＢ６を投入する（ステップＳ２６）。そして、停電している第２ビルの負荷フィーダを順次投入し、ガスタービン発電機４２からの電力が供給される（ステップＳ２７）。
【００４４】
なお、図３において、ステップＳ２０〜Ｓ２６の処理は、制御所と各ビル４０，５０，６０，７０との電話連絡による確認操作ステップとしてもよい。この場合、制御所と各ビルとの連絡は、電話に限らず、メールや信号などの送受信であってもよい。
【００４５】
次に、本発明の電力供給システムの復電時の動作について説明する。図４は、本発明の第１実施形態の復電時の手順を示す図である。図４に示すように、第１ビル４０に対する電力が停電から復帰（復電）すると（ステップＳ３１）、受電設備４１の受電点に設置された無電圧検出装置４３ｓにて電圧復帰を判定する（ステップＳ３２）。また、第１ビル管理者は、第１ビル４０においてガスタービン発電機４２の電力から配電線１０からの電力への切り替えの準備が整ったか否か確認する（ステップＳ３３）。配電線１０からの電力への切り替えの準備が整っている場合、第１ビル管理者は遮断器ＣＢ３を開放する（ステップＳ３４）。図４のＤ１１に示すように、受電設備４１の受電が復帰され、かつ、遮断器ＣＢ３が開放されたことを条件に、第１ビル管理者は遮断器ＣＢ２を投入する（ステップＳ３５）。これにより、第１ビル４０が復電され、第１ビル４０内の負荷に順次、配電線１０からの電力が投入される（ステップＳ３６）。
【００４６】
第２ビルに対する電力が停電から復帰（復電）すると（ステップＳ３７）、第２ビルの配電線２１，２２，２３（のうちの停電していた配電線）が充電されるので、受電設備５１，６１，７１はその復帰を検出する（ステップＳ３８）。前記を、第２ビル管理者は確認し、第２ビルにおいてガスタービン発電機４２の電力から配電線２１，２２，２３からの電力への切り替えの準備が整ったか否か判断する（ステップＳ３９）。配電線２１，２２，２３からの電力への切り替えの準備が整っている場合、第２ビル管理者は、予備電力線３０から配電線２１，２２，２３への切り替えを手動で行う（ステップＳ４０）。これにより、第２ビル内の負荷に順次、配電線２１，２２，２３からの電力が供給される（ステップＳ４１）。
【００４７】
予備電力線３０が停電から復帰（復電）すると（ステップＳ４２）、制御所は第２ビル管理者に対して予備電力線３０が復帰したことの連絡を行い、第２ビル管理者はボタン押下等を行うことで復電したこと示す信号を発信する（ステップＳ４３）。ステップＳ４０で受電設備５１，６１，７１がすべての配電線２１，２２，２３の切り替えが行われたことの信号を出力したこと（図４のＤ１２）、ステップＳ４３で予備電力線３０が復帰したことの信号を出力したことのいずれかの条件が成立した場合（図４のＤ１３）、制御システム８０はガスタービン発電機４２からの電力の融通希望を解除する判定を行う（ステップＳ４４）。ステップＳ４４の信号と、ステップＳ３４で遮断器ＣＢ３が開放されたこととのＡＮＤ条件が成立した場合（図４のＤ１４）、遮断器ＣＢ４を開放し（ステップＳ４５）、続いて第１ビル管理者がガスタービン発電機４２を停止する（ステップＳ４６）。また、遮断器ＣＢ６を開放し（ステップＳ４７）、続いて遮断器ＣＢ５を第１ビル管理者が開放する（ステップＳ４８）。そして、第１ビル管理者が遮断器ＣＢ１の投入依頼を制御所へ電話連絡して、制御所の運転員は遮断器ＣＢ１を投入する（ステップＳ４９）。これにより、予備電力線３０が復電され、第２ビル内の負荷に順次、予備電力線３０からの電力が投入可能な状態となる（ステップＳ５０）。
【００４８】
なお、図４において、ステップＳ３８〜Ｓ４１，Ｓ４３〜Ｓ５０の処理は、制御所と各ビル４０，５０，６０，７０との電話連絡による確認操作ステップである。ただし、制御所と各ビルとの連絡は、電話に限らず、メールや信号などの送受信であってもよい。
【００４９】
上記のような構成によれば、第１電力系統２１〜２３及び第２電力系統３０において停電等の非常事態が発生した場合に、第１区画４０における非常時用の発電機４２で発電された電力を既存の第２電力系統３０を介して第２区画５０，６０，７０に供給することができる。その結果、非常時に複数の需要者（第１区画４０、第２区画５０，６０，７０）間で電力を融通し合うことができ、継続的かつ安定的に電力の供給を行うことができる。また、第２電力系統は、他の系統から隔離されているので、発電機４２による電力供給と各ビルにおける需要との需給バランスを容易にとることが可能となる。
【００５０】
また、制御システム８０が一連の動作をシステムにて制御を行うように構成しているので、停電時及び復電時における電力の電力供給の切り替えを安全かつ正確に行うことができる。
【００５１】
＜第２実施形態＞
次に、第２実施形態を説明する。本実施形態において、上述の実施形態と同様の構成については、同じ符号を付してその説明を省略あるいは簡略化する。本実施形態に係る電力供給システムは、図１に示す第１実施形態に係る電力供給システムにおける制御システム８０の動作、第１切替部の動作、第２切替部の動作、及び遮断機ＣＢ１の動作が異なるものであり、それ以外は、図１に示す電力供給システムの構成と同様である。
【００５２】
本実施形態の電力供給システムの動作について説明する。まず、本実施形態の電力供給システムの停電時の動作について説明する。図５及び図６は、本実施形態の停電時の手順を示す図である。図５に示すように、第１ビル４０の停電（配電線１０の電力供給の停止）が発生すると（ステップＳ１１）、受電設備４１の受電点に設置された無電圧検出装置４３ｓが配電線１０の受電点の無電圧を検出する（ステップＳ１２）。無電圧検出装置４３ｓが配電線１０の受電点の無電圧を検出すると、制御システム８０が制御信号を出力して遮断器ＣＢ２を開放する（ステップＳ１３）。制御システム８０は遮断器ＣＢ２の開放に続き、遮断器ＣＢ３を投入する（ステップＳ１４）。
【００５３】
また、無電圧検出装置４３ｓが無電圧を検出したことに基づき、制御システム８０は、制御信号を出力して、ガスタービン発電機４２を起動する（ステップＳ１５）。また、制御システム８０は、遮断器ＣＢ５が開放されているか否か判定する（ステップＳ６０）。続いて、制御システム８０は、制御信号を出力して、遮断器ＣＢ４を投入する（ステップＳ１６）。
【００５４】
なお、図５のＤ２０に示すように、制御システム８０が遮断器ＣＢ４を投入する条件は、（１）ステップＳ１５におけるガスタービン発電機４２が起動していることと、（２）ステップＳ６０において遮断器ＣＢ５が開放状態であると判定されたことと、の両方の条件が成立する条件（上記（１）と（２）のＡＮＤ条件）である。
【００５５】
続いて、遮断器ＣＢ３及び遮断器ＣＢ４を投入することにより（ステップＳ１４、Ｓ１６）、ガスタービン発電機４２で発電された電力が第１ビル４０内の負荷に電力を供給するためのフィーダ（接点Ｐ１に接続されるフィーダ）に順次投入される（ステップＳ１７）。
【００５６】
なお、図５のＤ２１に示すように、ガスタービン発電機４２から発電された電力が第１ビル４０内の負荷に供給される条件は、（１）ステップＳ１３及びステップＳ１４において、遮断器ＣＢ２が開放されるとともに遮断器ＣＢ３が投入されることと、（２）ステップＳ１５においてガスタービン発電機４２が起動され、且つステップＳ６０において遮断器ＣＢ５が開放状態であると判定されるとともにステップＳ１６において遮断器ＣＢ４が投入されることと、の両方が成立する条件（上記（１）と（２）のＡＮＤ条件）である。
【００５７】
また、ステップＳ１３における遮断器ＣＢ２の開放に続いて、制御システム８０は、遮断器ＣＢ５が開放されているか否か判定する（ステップＳ６１）。また、予備電力線３０からの受電点に設置された無電圧検出装置４３ｔが予備電力線３０から分岐して第１ビル４０に接続される配電線が無電圧か否かを検出する（ステップＳ６２）。
【００５８】
続いて、制御システム８０は、制御信号を出力して、遮断器ＣＢ６を投入することにより（ステップＳ６３）、予備電力線３０の電力が、図１に示す接点Ｐ３と負荷とを接続する予備電力線負荷フィーダに投入される（ステップＳ６４）。この場合、第２電力系統（予備電力線３０）が使用可能な場合、ガスタービン発電機４２および第２電力系統（予備電力線３０）の両方からの電力を第１ビル４０で用いることができる。すなわち、第１電力系統から第１区画（第１ビル４０）に対して供給される電力の停止を検出した場合、且つ第２電力系統が使用可能である場合、第１切替部及び第２切替部は、第１区画に、ガスタービン発電機４２で発電された電力及び第２電力系統から供給された電力を供給することができる。
【００５９】
なお、図５のＤ２２に示すように、予備電力線３０の電力が、第１ビル４０内の予備電力線負荷フィーダに投入される条件は、（１）ステップＳ６１において遮断器ＣＢ５が開放されていると判定されることと、（２）ステップＳ６２において予備電力線３０から分岐して第１ビル４０に接続される配電線が通電していると検出されることと、（３）ＣＢ２が開放状態であると判定されたことと、のすべてが成立する条件（上記（１）（２）および（３）のＡＮＤ条件）である。
【００６０】
また、図６に示すように、制御システム８０は、第２ビル（第２ビルα（５０）、第２ビルβ（６０）、第２ビルγ（７０））の受電設備５１，６１，７１からの動作情報に基づき、第２ビルの停電（配電線２１，２２，２３の少なくともいずれかの電力供給の停止）の発生を検出し（ステップＳ１８；図６のＤ２）、且つ、第２ビル（第２ビルα（５０）、第２ビルβ（６０）、第２ビルγ（７０））のすべての予備電力線３０の停電の発生を検出すると（ステップＳ１９；図６のＤ３）、第１ビル４０のガスタービン発電機４２で発電された電力の第２ビルへの融通を判定する（ステップＳ２０）。
【００６１】
なお、図６のＤ４に示すように、第１ビル４０のガスタービン発電機４２で発電された電力の第２ビルへの融通を判定する条件は、（１）第２ビルの本線（配電線２１，２２，２３）の少なくとも１つが停電したことと（Ｄ２参照）、（２）予備電力線３０から分岐して各第２ビル５０，６０，７０に接続される配電線のすべてが停電したことと（Ｄ３参照）、の両方が成立する条件（上記（１）と（２）のＡＮＤ条件）である。
【００６２】
また、ステップＳ２０に続いて、制御システム８０は、遮断器ＣＢ３が開放されているか否か判定する（ステップＳ６５）。
【００６３】
なお、図５に示すステップＳ１５におけるガスタービン発電機４２が起動される条件は、図５のＤ２４に示すように、（１）第１ビル４０の配電線１０が停電したことと、（２）図６のＤ２３に示す条件が成立したことと、のいずれかの条件が成立した場合（上記（１）と（２）のＯＲ条件）である。なお、図６のＤ２３に示す条件は、（１）第２ビルの配電線２１，２２，２３の少なくともいずれか１つが停電し、且つ予備電力線３０から分岐して各第２ビルに接続される配電線のすべてが停電したことにより、ＧＴ融通判定がなされたこと（ステップＳ２０）、（２）遮断器ＣＢ３が開放されていることと、の両方の条件が成立する条件（上記（１）と（２）のＡＮＤ条件）である。
【００６４】
また、図６に示すように、予備電力線３０から分岐して各第２ビルに接続される配電線のすべてが停電している場合（Ｄ３参照）、予備電力線３０からの受電点に設置された無電圧検出装置４３ｔが、予備電力線３０から分岐して第１ビル４０に接続される配電線が無電圧か否かを検出する（ステップＳ２２）。予備電力線３０から分岐して第１ビル４０に接続される配電線が停電している場合、変電所Ｅから予備電力線３０への電力供給が停止（停電）していることを示す。一方、予備電力線３０から分岐して第１ビル４０に接続される配電線が停電していない場合、予備電力線３０から分岐して第２ビルに接続される配電線などにおいて停電が発生していることを示す。ステップＳ２２に続いて、制御システム８０は、遮断器ＣＢ６が開放されているか否か判定する（ステップＳ６６）。
【００６５】
また、予備電力線３０から分岐して各第２ビルに接続される配電線のすべてが停電している場合（Ｄ３参照）、制御システム８０は、遮断器ＣＢ１が開放しているか否かを、例えば図示しない制御所からのＣＢ動作情報などに基づき、検出する（ステップＳ２３）。また、制御システム８０は、電力事故情報を示す信号が検出されたか否かを確認する（ステップＳ６７）。続いて、無電圧検出装置３５が無電圧を所定時間（例えば８分）検出した場合に、スイッチをオン状態とする（ステップＳ２４）。ここで、管理者が無電圧の判断を行い、確認ボタンを押下する等のステップを追加してもよい。
【００６６】
なお、ステップＳ２４が行われる条件は、Ｄ２５に示すように、（１）ステップＳ２３で遮断器ＣＢ１が開放されていることと、（２）ステップＳ６７において電力事故情報を示す信号が検出されないこと、のすべての条件が成立している条件（上記（１）と（２）のＡＮＤ条件）である。
【００６７】
なお、図６のＤ２６に示すように、（１）ステップＳ２０において、第１ビル４０のガスタービン発電機４２で発電された電力を第２ビルへ融通すると判定されたことと、（２）ステップＳ２２において、予備電力線３０から分岐して第１ビル４０に接続される配電線が停電していると判定され、且つステップＳ６６において遮断器ＣＢ６が開放されていると判定されたことと、（３）ステップＳ２４において、無電圧検出装置３５が無電圧を所定時間（例えば８分）検出して、スイッチをオン状態とすることと、（４）ステップＳ１６において、遮断器ＣＢ４が投入されていることと、のすべてが成立している場合、（上記（１）〜（４）のＡＮＤ条件が満たされる場合）、制御システム８０は遮断器ＣＢ５を投入し（ステップＳ２５）、続いて遮断器ＣＢ６を投入する（ステップＳ２６）。そして、停電している第２ビルの負荷フィーダを順次投入し、ガスタービン発電機４２からの電力が供給される（ステップＳ２７）。
【００６８】
なお、図６において、ステップＳ２０、ステップＳ２２〜Ｓ２６、ステップＳ６５〜Ｓ６７の処理は、制御所と各ビル４０，５０，６０，７０との電話連絡による確認操作ステップとしてもよい。この場合、制御所と各ビルとの連絡は、電話に限らず、メールや信号などの送受信であってもよい。
【００６９】
次に、本実施形態の電力供給システムの復電時の動作について説明する。図７及び図８は、本実施形態の復電時の手順を示す図である。図７に示すように、第１ビル４０に対する電力が停電から復帰（復電）すると（ステップＳ３１）、受電設備４１の受電点に設置された無電圧検出装置４３ｓにて電圧復帰を判定する（ステップＳ３２）。ステップＳ３２に続いて、第１ビル管理者は、第１ビル４０においてガスタービン発電機４２の電力から配電線１０からの電力への切り替えの準備が整ったか否か確認する（ステップＳ３３）。配電線１０からの電力への切り替えの準備が整っている場合、第１ビル管理者は遮断器ＣＢ３を開放する（ステップＳ３４）。
【００７０】
また、ステップＳ３３に続いて、制御システム８０は、遮断器ＣＢ５が投入されているか否か判定する（ステップＳ７１）。
【００７１】
また、予備電力線３０からの受電点に設置された無電圧検出装置４３ｔが予備電力線３０から分岐して第１ビル４０に接続される配電線が受電しているか否かを検出する（ステップＳ７２）。無電圧検出装置４３ｔが予備電力線３０から分岐して第１ビル４０に接続される配電線が受電していると検出された場合、制御システム８０は、遮断器ＣＢ５が開放されているか否か判定する（ステップＳ７３）。
【００７２】
Ｄ３１に示すように、（１）ステップＳ３３において第１ビル４０においてガスタービン発電機４２の電力から配電線１０からの電力への切り替えの準備が整ったことと、（２）ステップＳ７２において、予備電力線３０からの受電点に設置された無電圧検出装置４３ｔが予備電力線３０から分岐して第１ビル４０に接続される配電線が受電していると検出されて、ステップＳ７３において、遮断器ＣＢ５が開放されていると判定されることと、の両方の条件（上記（１）と（２）のＡＮＤ条件）が成立している場合、制御システム８０は、制御信号を出力して遮断器ＣＢ６を開放する（ステップＳ７４）。
【００７３】
続いて、図７のＤ３３に示すように、（１）ステップＳ３２において受電設備４１の受電点に設置された無電圧検出装置４３ｓにて電圧復帰が確認されることと、（２）ステップＳ３４において遮断器ＣＢ３が開放されることと、（３）下記Ｄ３２の条件が成立することと、のすべての条件が成立すること（上記（１）〜（３）のＡＮＤ条件）により、第１ビル管理者は遮断器ＣＢ２を投入する（ステップＳ３５）。これにより、第１ビル４０が復電され、第１ビル４０内の負荷に順次、配電線１０からの電力が投入される（ステップＳ３６）。なお、Ｄ３２が成立する条件は、（１）ステップＳ７１において遮断器ＣＢ５が投入されていることと、（２）ステップＳ７４において遮断器ＣＢ６が開放されていることと、のいずれかの条件が成立すること（上記（１）と（２）のＯＲ条件）である。
【００７４】
また、第２ビル５０、６０、７０に対する電力が停電から復帰（復電）すると（ステップＳ３７）、第２ビル５０、６０、７０のそれぞれの配電線２１，２２，２３（のうちの停電していた配電線）が充電されるので、受電設備５１，６１，７１はその復帰を検出する（ステップＳ３８）。続いて、前記（ステップＳ３８）を、第２ビル管理者は確認し、第２ビル５０、６０、７０においてガスタービン発電機４２の電力から配電線２１，２２，２３からの電力への切り替えの準備が整ったか否か判断する（ステップＳ３９）。配電線２１，２２，２３からの電力への切り替えの準備が整っている場合、第２ビル管理者は、予備電力線３０から配電線２１，２２，２３への切り替えを手動で行う（ステップＳ４０）。これにより、第２ビル内の負荷に順次、配電線２１，２２，２３からの電力が供給される（ステップＳ４１）。
【００７５】
予備電力線３０が停電から復帰（復電）すると（ステップＳ４２）、制御所は第２ビル管理者に対して予備電力線３０が復帰したことの連絡を行い、第２ビル管理者はボタン押下等を行うことで復電したこと示す信号を発信する（ステップＳ４３）。ステップＳ４０で受電設備５１，６１，７１がすべての配電線２１，２２，２３の切り替えが行われたことの信号を出力したこと（図８のＤ１２）、ステップＳ４３で予備電力線３０が復帰したことの信号を出力したことのいずれかの条件が成立した場合（図８のＤ１３）、制御システム８０はガスタービン発電機４２からの電力の融通希望を解除する判定を行う（ステップＳ４４）。例えば、ステップＳ４４において、制御システム８０は、ガスタービン発電機４２からの電力の融通希望を解除すると判定した場合、所定の信号を送信する。
【００７６】
ステップＳ４４において、電力の融通希望を解除すると判定された場合、制御システム８０は、遮断器ＣＢ６を開放し（ステップＳ４７）、続いて遮断器ＣＢ５を第１ビル管理者が開放する（ステップＳ４８）。そして、第１ビル管理者が遮断器ＣＢ１の投入依頼を制御所へ電話連絡して、制御所の運転員は遮断器ＣＢ１を投入する（ステップＳ４９）。これにより、予備電力線３０が復電され、第２ビル内の負荷に順次、予備電力線３０からの電力が投入可能な状態となる（ステップＳ５０）。
【００７７】
また、制御システム８０は、遮断器ＣＢ３が開放されているか否かを判定する（ステップＳ７６）。また、制御システム８０は、ガスタービン発電機４２が運転中か否かを判定する（ステップＳ７７）。
【００７８】
また、Ｄ３４に示すように、（１）ステップＳ７６において、遮断器ＣＢ３が開放されたと判定されたことと、（２）ステップＳ７７において、ガスタービン発電機４２が運転中であると判定されたことと、（３）ステップＳ４４において、ガスタービン発電機４２からの電力の融通希望を解除すると判定されたことと、すべての条件が成立した場合（上記（１）〜（３）のＡＮＤ条件が成立した場合）、制御システム８０は、遮断器ＣＢ４を開放し（ステップＳ４５）、続いて第１ビル管理者がガスタービン発電機４２を停止する（ステップＳ４６）。また、Ｄ３４に示す条件が成立した場合、制御システム８０は、遮断器ＣＢ５を開放する（ステップＳ７８）。
【００７９】
なお、図８において、ステップＳ３８〜Ｓ４１，Ｓ４３〜Ｓ５０の処理は、制御所と各ビル４０，５０，６０，７０との電話連絡による確認操作ステップである。ただし、制御所と各ビルとの連絡は、電話に限らず、メールや信号などの送受信であってもよい。
【００８０】
上記のような構成によれば、第１電力系統２１〜２３及び第２電力系統３０において停電等の非常事態が発生した場合に、第１区画４０における非常時用の発電機４２で発電された電力を既存の第２電力系統３０を介して第２区画５０，６０，７０に供給することができる。その結果、非常時に複数の需要者（第１区画４０、第２区画５０，６０，７０）間で電力を融通し合うことができ、継続的かつ安定的に電力の供給を行うことができる。また、第２電力系統は、他の系統から隔離されているので、発電機４２による電力供給と各ビルにおける需要との需給バランスを容易にとることが可能となる。
【００８１】
また、上記のような構成によれば、第１電力系統から第１区画４０に対して供給される電力の停止を検出した場合、且つ第２電力系統が使用可能である場合、第１切替部は、発電機４２で発電された電力及び第２電力系統から供給される電力を、第１区画４０に供給可能である。また、本実施形態の電力供給方法は、非常時用の発電機４２で発電された電力に切り替えることは、第１電力系統から第１区画４０に対して供給される電力が停止したときに、第２電力系統が使用可能である場合、発電機４２で発電された電力及び第２電力系統から供給される電力を第１区画に供給すること、を備える。すなわち、第１ビル４０へ電力を供給する配電線１０が停電した際、第２電力系統（予備電力線３０）が使用可能な場合、ガスタービン発電機４２および第２電力系統（予備電力線３０）の両方からの電力を第１ビル４０に供給することができる。この場合、ガスタービン発電機４２の負荷を軽減することができ、また、第１ビル４０が停電した際における第１ビル４０で使用可能な電力量をより多くすることができる。
【００８２】
また、制御システム８０が一連の動作をシステムにて制御を行うように構成しているので、停電時及び復電時における電力の電力供給の切り替えを安全かつ正確に行うことができる。
【００８３】
＜第３実施形態＞
次に、第３実施形態を説明する。本実施形態において、上述の実施形態と同様の構成については、同じ符号を付してその説明を省略あるいは簡略化する。本実施形態の電力供給システムでは、各ビルの制御部と監視制御装置とが通信ネットワークで接続され、これらが互いに信号を送受信して連携することで電力の伝送経路の切り替えを実行する。なお、本実施形態の電力供給システムは、上記した第１実施形態及び第２実施形態のそれぞれに対応することができる。
【００８４】
図９は、本実施形態に係る電力供給システムの構成を示すブロック図である。図９に示すように、本実施形態に係る電力供給システムでは、受電設備４１に相当する制御部４０Ａ，受電設備５１に相当する制御部５０Ａ，受電設備６１に相当する制御部６０Ａ，受電設備７１に相当する制御部７０Ａが各ビル４０，５０，６０，７０それぞれに設けられている。制御部４０Ａ，５０Ａ，６０Ａ，７０Ａは、それぞれ、自身のビル内の電力の伝送経路の切り替えを実行する。すなわち、制御部４０Ａは、指令信号などを出力することにより遮断器ＣＢ２〜ＣＢ６の投入・開放を制御する。また、制御部５０Ａ，６０Ａ，７０Ａは、それぞれ、指令信号などを出力することにより受電用切替機器５１ａ，６１ａ，７１ａの切り替えを制御する。また、制御部４０Ａは、ガスタービン発電機４２の制御を行う。また、制御部４０Ａ，５０Ａ，６０Ａ，７０Ａは、インターネットや移動体通信網、専用通信網などの通信ネットワーク２００を通じて他の制御部との間で各種信号（制御信号など）を送受信する。なお、制御部４０Ａ，５０Ａ，６０Ａ，７０Ａが実行する電力の伝送経路の切り替えなどの制御は、上記した第１実施形態、あるいは上記した第２実施形態における電力の伝送経路の切り替えなどの制御と対応する。
【００８５】
監視制御装置１１０は、第１電力系統（変電所Ａ〜Ｄ、配電線１０，配電線２１〜２３）及び第２電力系統（変電所Ｅ、予備電力線３０）を監視し制御する装置である。監視制御装置１１０は、例えば制御所１００に設置され通信ネットワーク２００を通じて他の制御部との間で各種信号を送受信する。
【００８６】
第１の実施形態では、制御システム８０は、ＣＢ１開放検出（ステップＳ２３）及び無電圧の所定時間（例えば８分）の検出に基づき予備電力線３０の使用可否を判定している。
【００８７】
第３の実施形態では、更に予備電力線３０の短絡などの電力事故情報を予備電力線３０の使用可否判定に利用してもよい。例えば、監視制御装置１１０が予備電力線３０の短絡などを検出し、監視制御装置１１０が制御システム８０へ予備電力線３０の短絡などの電力事故情報を送信する。制御システム８０は図３に示すＤ６の遮断器ＣＢ５投入のためのＡＮＤ条件に前記の電力事故情報を加え遮断器ＣＢ５を投入可能か否かを判定する。また、制御システム８０は、図６に示すステップＳ６７において、監視制御装置１１０による前記の電力事故情報を検出してもよい。
【００８８】
このように、第３実施形態では、第２電力系統（変電所Ｅ、予備電力線３０）の電力事故情報を送信する監視制御装置１１０を備え、第１切替部（ここでは遮断器ＣＢ５）は、電力事故情報有無他に基づき、第２電力系統（予備電力線３０）への電力供給を行う。このような構成によれば、短絡などの事故停止の場合は、第２電力系統（予備電力線３０）を通じた発電機４２からの電力の供給を行わないようにすることができる。すなわち、予備電力線３０の短絡などが発生した場合は、発電機４２から第２電力系統（予備電力線３０）を介して第２ビル５０，６０，７０に電力を送ることができない。従って、そのような場合には、第１切替部は発電機４２からの電力を第２電力系統（予備電力線３０）に送らないように制御することで安全な制御を実行することができる。
【００８９】
以上、本発明を実施の形態を用いて説明したが、本発明の技術的範囲は、上記実施形態に記載の範囲には限定されない。本発明の趣旨を逸脱しない範囲で、上記実施形態に多様な変更又は改良を加えることが可能である。また、上記の実施形態で説明した要件の１つ以上は、省略されることがある。そのような変更又は改良、省略した形態も本発明の技術的範囲に含まれる。また、上記した実施形態を適宜組み合わせて適用することも可能である。
【００９０】
例えば、非常時用の発電機をガスタービン発電機４２で構成していたが、その他の発電機（例えばディーゼル発電機など）であってもよい。また、第２ビル５０，６０，７０のいずれかに発電機が設けられている場合でも、上記したように、第２ビル５０，６０，７０のいずれかに対して第１ビル４０の発電機４２から電力を供給するように構成してもよい。特に、発電機の燃料が切れているような場合には有効である。
【００９１】
また、受電設備４１，５１，６１，７１などが計器用変成器を用いて電力停止（電圧値）を検出する構成としていたが、そのような構成に限定されず、計器用変成器以外の検出部を用いて電力停止を検出してもよい。また、検出部が各ビルの各配線の電力停止を検出することにより、第１電力系統や第２電力系統からの電力停止を検出するようにしてもよい。
【００９２】
また、監視制御装置１１０が、電力事故情報を制御システム８０に送信していた。しかし、このような構成に限定されず、制御所の運転員などが予備電力線３０を使用可能であるか否か確認し、使用可能であることを確認した場合に、ボタン押下等により信号を送信してもよい。また、電力供給システムの動作はすべて自動で行う必要はなく、必要に応じて作業者や管理者などによる手動操作が行われてもよい。また、作業者や管理者などによる手動操作も図３及び図４、並びに図５から図８に示した処理に限定されず、その他の処理も手動操作で行ってもよく、また図３及び図４、並びに図５から図８に示した処理の全部又は一部を自動で行ってもよい。また、遮断器の動作タイミングや、発電機の動作タイミングなども図２、図３及び図４、並びに図５から図８に示したタイミングに限定されず、適宜変更可能である。
【００９３】
また、第２ビル５０，６０，７０はそれぞれ異なる配電線２１，２２，２３を通じて配電されていたが、同じ配電線を通じて配電されてもよい。さらに、第１ビル４０及び第２ビル５０，６０，７０も同じ配電線を通じて配電されてもよい。
【００９４】
また、第１ビル４０が、第１電力系統及び第２電力系統の両方から電力の供給が行われないようにするための機構（第１切替部、システム制御部８０の機構）は、上記実施形態のものに限定されず、例えば、遮断機ＣＢ２が投入の時は遮断機ＣＢ６が開放され、且つ遮断機ＣＢ２が開放の時は、遮断機ＣＢ６が投入される機構であり、ただし、遮断機ＣＢ４が投入の時はこの機構が解除される機構であってもよい。また、この機構は、遮断機ＣＢ２が投入される時、且つ遮断機ＣＢ５が開放される時に、遮断機ＣＢ６が投入不能な機構であってもよい。また、この機構は、遮断機ＣＢ１が開放の時、又は遮断機ＣＢ２が開放の時（ＯＲ条件）、遮断機ＣＢ６が投入可能な機構であってもよい。また、この機構は、遮断機ＣＢ１が投入される時、及び遮断機ＣＢ６が投入される時（ＡＮＤ条件）、遮断機ＣＢ２が開放可能な機構でもよい。
【符号の説明】
【００９５】
１０    配電線（第１電力系統）
２１，２２，２３    配電線（第１電力系統）
３０    予備電力線（配電線、第２電力系統）
３５    無電圧検出装置
４０    第１ビル（第１区画）
４１    受電設備（第１切替部）
４２    ガスタービン発電機（発電機）
４３ｓ  無電圧検出装置
４３ｔ  無電圧検出装置
５０    第２ビルα（第２区画）
５１    受電設備（第２切替部）
５１ａ  受電用切替機器（第２切替部）
６０    第２ビルβ（第２区画）
６１ａ  受電用切替機器（第２切替部）
６１    受電設備（第２切替部）
７０    第２ビルγ（第２区画）
７１    受電設備（第２切替部）
７１ａ  受電用切替機器（第２切替部）
８０    制御システム
１１０  監視制御装置
ＣＢ１  遮断器
ＣＢ２〜ＣＢ６  遮断器（第１切替部）
【図１】
0006520773.tif 000002
【図２】
0006520773.tif 000003
【図３】
0006520773.tif 000004
【図４】
0006520773.tif 000005
【図５】
0006520773.tif 000006
【図６】
0006520773.tif 000007
【図７】
0006520773.tif 000008
【図８】
0006520773.tif 000009
【図９】
0006520773.tif 000010